(57)【特許請求の範囲】
【請求項１】
天然由来の精油と、揮発防止剤とを含有し、前記揮発防止剤は、ポリオキシエチレンアルキルフェニルエーテルであることを特徴とする繊維処理剤。
【請求項２】
天然由来の精油は、テルペノイド類又はその類縁の化合物を含有する精油であることを特徴とする請求項１記載の繊維処理剤。
【請求項３】
繊維製品と、該繊維製品に付着した天然由来の精油及び揮発防止剤とからなり、前記揮発防止剤は、ポリオキシエチレンアルキルフェニルエーテルであることを特徴とする天然由来精油付繊維製品。
【発明の詳細な説明】
【技術分野】
【０００１】
本発明は、長時間にわたって天然由来の精油の香りを楽しめるとともに、洗濯によって容易に該精油を除去することができる機能を繊維製品に付与することができる繊維処理剤、及び、該繊維処理剤によって処理された天然由来精油付繊維製品に関する。
【背景技術】
【０００２】
天然成分から抽出される精油は、嗅覚を積極的に刺激し、その香りは一瞬で心身をシフトする力をもっているといわれている。精油を嗅ぐと、エンドルフィン、セロトニン、アドレナリン等が分泌されるといわれており、それにより多幸感、情緒の安定、情動、記憶、本能行動、食欲、性欲、睡眠欲、自律神経系や内分泌系の働きをコントロールすることができる。その働きから、免疫系を強化したり、血液やリンパ液の流れを促進したり、腎臓、肝臓、胃等の身体の各器官の働きを向上させる効果が期待される。更には、認知症等の予防効果や、更年期不定愁訴の諸症状を緩和する効果も期待される。
【０００３】
このような天然由来の精油を繊維製品に付着させることにより、日常的にその香りを嗅げるようにすることが試みられている。例えば特許文献１には、更年期不定愁訴の諸症状を緩和することを目的に、スターアニスオイル、フェンネルオイル、シトロネラオイル、ローズオイル、ローレルオイル、ペッパーオイル、ワームシードオイル、バジルオイル、タラゴンオイル、イランイランオイル等の精油を付着させた繊維製品が開示されている。
【０００４】
しかしながら、天然由来の精油を繊維製品に付着させても、実際に香りを実感できるのは僅かな時間に過ぎず、３０分間もたてばほとんど香りを感じなくなってしまうという問題があった。これに対して、精油の成分を繊維製品の表面に化学的に結合（例えば、共有結合）させることも検討されたが、化学的に結合させた場合にはほとんど香りを失ってしまった。また、香りを失わずに化学的に結合させることができたとしても、今度は洗濯によっても精油を除去できないという問題が発生した。即ち、いったん精油を繊維製品に処理しても、日によっては香りを抑えたい場合もあり、また、日毎に違う香りを楽しみたいという需要もある。従って、長時間にわたって天然由来の精油の香りを楽しめるとともに、洗濯によって容易に該精油を除去することができる精油付繊維製品が求められていた。
【先行技術文献】
【特許文献】
【０００５】
【特許文献１】特開２００５−９７２６６号公報
【発明の概要】
【発明が解決しようとする課題】
【０００６】
本発明は、上記現状に鑑み、長時間にわたって天然由来の精油の香りを楽しめるとともに、洗濯によって容易に該精油を除去することができる機能を繊維製品に付与することができる繊維処理剤、及び、該繊維処理剤によって処理された天然由来精油付繊維製品を提供することを目的とする。
【課題を解決するための手段】
【０００７】
本発明は、天然由来の精油と、揮発防止剤とを含有する繊維処理剤である。
以下に本発明を詳述する。
【０００８】
本発明者らは、鋭意検討の結果、天然由来の精油を単独で用いるのではなく、揮発防止剤と併用した繊維処理剤を用いることにより、容易に繊維製品に天然由来の精油を付着させた繊維製品を得ることができ、かつ、比較的長時間にわたって該精油の香りを楽しめることを見出し、本発明を完成した。このような処理を行った繊維製品において、天然由来の精油は化学的に結合しているわけではないことから、洗濯によって容易に除去することができる。
【０００９】
本発明の繊維処理剤は、天然由来の精油（以下、単に「精油」ともいう。）と、揮発防止剤とを含有する。
上記精油は、天然由来のものであれば特に限定されず、例えば、オレンジ、グレープフルーツ、シトロネラ、ベルガモット、マンダリン、ライム、リツェアクベバ、レモン、レモングラス等の柑橘系の精油や、アンジェリカ、キャロットシード、クラリセージ、タイム、バジル、フェンネル、ペパーミント、マージョラム、ローズマリー等のハーブ系の精油や、カモミール、ジャスミン、ゼラニウム、ネロリ、ヘリクリサム、ラベンダー、リンデン、ローズ等の花系の精油や、イランイラン、サンダルウッド、パチュリー、パルマローザ、ベチバー等のエキゾチック系の精油や、エレミ、ガルバナム、ファー、フランキンセンス、ベンゾイン、ミルラ等の樹脂系の精油や、アニス、カルダモン、クローブ、コリアンダー、シナモン、ジンジャー、ブラックペッパー、ローレル等のシナモン系の精油や、サイプレス、シダーウッド、ジュニパー、パイン、プチグレン、マートル、ユーカリ、ローズウッド等の樹木系の精油等が挙げられる。
なかでも、柑橘系やハーブ系の精油は、リモネン、１，８−シネオール、ミルセン、ピネン、サビネン、リナロール、ゲラニオール、シトロネロール等のテルペノイド類又はその類縁の化合物を含有するが、特に揮発性が高く、短時間で香りが気散してしまうことが知られている。本発明の繊維処理剤を用いれば、このようなテルペノイド類又はその類縁の化合物を含有する精油であっても、比較的長時間にわたって香りを楽しめることから特に好適である。
なお、本明細書においてテルペノイド類の類縁の化合物とは、上記テルペノイド類の誘導体であって、炭化水素類、アルコール類、アルデヒド類、ケトン類、オキシド類、エステル類、ラクトン類、カルボン酸類を意味する。
【００１０】
上記揮発防止剤は、上記精油と併用することにより、繊維製品に付着した精油が気散するのを防止する効果を有する。
上記揮発防止剤は、上記精油揮発防止効果を発揮するものであれば特に限定されないが、例えば、安息香酸エステル等の従来から揮発防止剤として知られている化合物のほか、エチレングリコール等の多価アルコールや、ポリオキシエチレンアルキルフェニルエーテル、Ｔｗｅｅｎ２０、Ｔｗｅｅｎ４０、Ｔｗｅｅｎ６０、Ｔｗｅｅｎ８０等の界面活性剤が挙げられる。なかでも、ポリオキシエチレンアルキルフェニルエーテルは、上記テルペノイド類を含有する精油と組み合わせたときに、特に高い精油揮発防止効果を発揮できることから好適である。
【００１１】
本発明の繊維処理剤中の上記揮発防止剤の配合量は特に限定されないが、上記精油１００重量部に対する好ましい下限は０．１重量部、好ましい上限は３０重量部である。上記揮発防止剤の配合量がこの範囲内であると、充分な精油揮発防止効果を発揮することができる。上記揮発防止剤の配合量のより好ましい下限は１重量部、より好ましい上限は２０重量部である。
【００１２】
本発明の繊維処理剤は、必要に応じて、溶媒を含有してもよい。上記溶媒としては、上記精油及び上記揮発防止剤を溶解、又は、良好に懸濁できるものであれば特に限定されないが、取り扱い性に優れることから、水、エタノール、メタノール等の水系溶媒が好適である。
【００１３】
本発明の繊維処理剤は、更に必要に応じて、乳化剤、分散剤等の添加剤を含有してもよい。
【００１４】
本発明の繊維処理剤を製造する方法は特に限定されず、上記精油、揮発防止剤、溶媒及び必要に応じて添加する添加剤を混合する方法が挙げられる。
【００１５】
本発明の繊維処理剤を用いて繊維製品を処理することにより、該繊維製品に天然由来の精油及び揮発防止剤が付着した天然由来精油付繊維製品を得ることができる。
このような天然由来精油付繊維製品は、長時間にわたって天然由来の精油の香りを楽しめる一方、洗濯によって容易に該精油を除去することができる。これは、上記揮発防止剤を併用することにより精油の揮発が抑制されて、より長時間精油が残留する一方、精油が繊維製品に化学的に結合されていないことから、洗濯によって容易に精油を除去できるためと考えられる。従って、いったん精油を繊維製品に処理しても、日によっては香りを抑えたり、日毎に違う香りを楽しんだりすることもできる。
繊維製品と、該繊維製品に付着した天然由来の精油及び揮発防止剤とからなる天然由来精油付繊維製品もまた、本発明の１つである。
【００１６】
上記繊維製品としては特に限定されず、綿（セルロース系繊維）、麻、絹、羊毛等の天然繊維からなるもの、ポリエチレンテレフタレート、レーヨン、ポリノジック、キュプラ、アセテート、ナイロン、ビニロン、ビニリデン、ポリ塩化ビニル、アクリル、アクリル系、ポリエチレン、ポリプロピレン、ポリウレタン等の合成繊維からなるものであってもよく、これらの混合繊維からなるものであってもよい。なかでも、綿布は、肌着等をはじめとする繊維製品の多くに用いられるものであり、本発明の繊維処理剤で処理したときに、特に長時間にわたって精油の香りを楽しめることから好適である。
なお、上記繊維製品は、例えば、繊維製品を構成する分子に、カルボキシル基、アミノ基、スルホン基、水酸基、リン酸基、エポキシ基、エーテル残基等の極性基又はこれらの基を有する基等の親水基を結合させた、親水化処理が施されたものであってもよい。親水化処理が施された繊維製品では、更に長時間にわたって精油の香りを楽しむことができる。
【００１７】
本発明の天然由来精油付繊維製品としては特に限定されず、衣料の他、ハンカチ、タオル、ふとん等も好適である。なかでも、肌着や、敷ふとん、敷マット、敷布、毛布・タオルケット、ふとんカバー、掛けふとんの襟掛け、枕、枕カバー、パジャマ等の就寝用品等に精油を付着させた場合には、意識せずとも長時間にわたって精油の香りを吸入することになることから、極めて高い効果が期待できる。
【００１８】
本発明の天然由来精油付繊維製品を製造する方法としては特に限定されず、例えば、本発明の繊維処理剤中に繊維製品を浸漬又はパディングする方法が挙げられる。
【発明の効果】
【００１９】
本発明によれば、長時間にわたって天然由来の精油の香りを楽しめるとともに、洗濯によって容易に該精油を除去することができる機能を繊維製品に付与することができる繊維処理剤、及び、該繊維処理剤によって処理された天然由来精油付繊維製品を提供することができる。
【発明を実施するための形態】
【００２０】
以下に実施例を挙げて本発明の態様を更に詳しく説明するが、本発明はこれら実施例にのみ限定されるものではない。
【００２１】
（実験例１）
（１）繊維処理剤の調製
表１に示した配合に従い、精油（オレンジスイート、生活の木社製、リモネン含有量９５．５６％）、揮発防止剤及び精製水を混合して、繊維処理剤１〜６を得た。
【００２２】
【表１】
0006579901.tif 000002
【００２３】
（２）綿布への処理
０．５ｇの綿布（カルボキシル基量０．０５ｍｍｏｌ／ｇ）に対して、繊維処理剤１〜６を１５０μＬ塗布して、天然由来精油付繊維製品を得た。
得られた天然由来精油付繊維製品を、塗布してから０分後、３０分後、９０分後及び２４時間後に回収し、メタノール２０ｍＬを用いて精油を抽出し、ガスクロマトグラフィー法により精油の含有量を測定した。塗布してから０分後の精油の含有量を１００として、３０分後、９０分後及び２４時間後における精油残留率（％）を算出した。結果を表２に示した。
【００２４】
【表２】
0006579901.tif 000003
【００２５】
（３）親水化処理綿布への処理
綿布に代えて親水化処理綿布（カルボキシル基量０．５０ｍｍｏｌ／ｇ）を用いた以外は上記綿布の場合と同様にして、天然由来精油付繊維製品を得て、塗布してから３０分後、９０分後及び２４時間後における精油残留率（％）を算出した。結果を表３に示した。
【００２６】
【表３】
0006579901.tif 000004
【００２７】
（実験例２）
実験例１で用いた綿布又は親水化処理綿布０．５ｇに対して、実験例１で調製した繊維処理剤４を１５０μＬ塗布して、天然由来精油付繊維製品を得た。
得られた天然由来精油付繊維製品を、塗布してから０分後に、通常の家庭用洗濯機（パナソニック社製、ＮＡ−Ｆ５０Ｂ５）を用いて、洗剤（花王社製、アタック）を０．６７ｇ／Ｌの濃度となるように加えた水を用い、浴比１：３０の条件で洗濯した。
洗濯後の綿布について、メタノール２０ｍＬを用いて精油を抽出し、ガスクロマトグラフィー法により精油の含有量を測定した。洗濯前（塗布してから０分後）の精油の含有量を１００として、洗濯後における精油残留率（％）を算出した。結果を表４に示した。
【００２８】
【表４】
0006579901.tif 000005
【００２９】
（実験例３）
綿布、ポリエステル布、アセテート布、及び、綿／ポリエステル混合布０．５ｇに対して、実験例１で調製した繊維処理剤４を１５０μＬ塗布して、天然由来精油付繊維製品を得た。
得られた天然由来精油付繊維製品を、塗布してから０分後、３０分後、６０分後、及び、１２０分後に回収し、メタノール２０ｍＬを用いて精油を抽出し、ガスクロマトグラフィー法により精油の含有量を測定した。塗布してから０分後の精油の含有量を１００として、３０分後、６０分後、及び、１２０分後における精油残留率（％）を算出した。
また、得られた天然由来精油付繊維製品を、塗布してから０分後に、通常の家庭用洗濯機（パナソニック社製、ＮＡ−Ｆ５０Ｂ５）を用いて、洗剤（花王社製、アタック）を０．６７ｇ／Ｌの濃度となるように加えた水を用い、浴比１：３０の条件で洗濯した。洗濯後の綿布について、メタノール２０ｍＬを用いて精油を抽出し、ガスクロマトグラフィー法により精油の含有量を測定した。洗濯前（塗布してから０分後）の精油の含有量を１００として、洗濯後における精油残留率（％）を算出した。
結果を表５に示した。
【００３０】
【表５】
0006579901.tif 000006
【００３１】
（実験例４）
精油としてオレンジスイートに代えてローズマリー・カンファ（生活の木社製、１，８−シネオール含有量２１．０％）を用いた以外は、実験例１における繊維処理剤４と同じ配合にて繊維処理剤７を得た。
綿布０．５ｇに対して、繊維処理剤７を１５０μＬ塗布して、天然由来精油付繊維製品を得た。
得られた天然由来精油付繊維製品を、塗布してから０分後、３０分後、９０分後、及び、１２０分後に回収し、メタノール２０ｍＬを用いて精油を抽出し、ガスクロマトグラフィー法により精油の含有量を測定した。塗布してから０分後の精油の含有量を１００として、３０分後、９０分後、及び、１２０分後における精油残留率（％）を算出した。
また、得られた天然由来精油付繊維製品を、塗布してから０分後に、通常の家庭用洗濯機（パナソニック社製、ＮＡ−Ｆ５０Ｂ５）を用いて、洗剤（花王社製、アタック）を０．６７ｇ／Ｌの濃度となるように加えた水を用い、浴比１：３０の条件で洗濯した。洗濯後の綿布について、メタノール２０ｍＬを用いて精油を抽出し、ガスクロマトグラフィー法により精油の含有量を測定した。洗濯前（塗布してから０分後）の精油の含有量を１００として、洗濯後における精油残留率（％）を算出した。
結果を表６に示した。
【００３２】
【表６】
0006579901.tif 000007
【産業上の利用可能性】
【００３３】
本発明によれば、長時間にわたって天然由来の精油の香りを楽しめるとともに、洗濯によって容易に該精油を除去することができる機能を繊維製品に付与することができる繊維処理剤、及び、該繊維処理剤によって処理された天然由来精油付繊維製品を提供することができる。